(57)【特許請求の範囲】
【請求項１】
プラグ挿入穴が形成され側壁を有する本体と、該側壁に設けられたピン固定部とを備える本体部と、
該本体を覆う金属ケースと、
該金属ケースとは別体で構成され該ピン固定部に固定される金属ピンと、を備え、
該金属ケースが該本体を覆っているときには、該金属ピンは該金属ケースと接触して該金属ケースと電気的に接続され、
該金属ピンは、該金属ケースと該側壁とに挟まれるように配置され、
該金属ケースの一部には、該金属ピンの方向へ突出する突出部が設けられていることを特徴とするモジュラジャック。
【請求項２】
該突出部は、該金属ケースの一部が抜き起こしされて構成されていることを特徴とする請求項１記載のモジュラジャック。
【請求項３】
プラグ挿入穴が形成され側壁を有する本体と、該側壁に設けられたピン固定部とを備える本体部と、
該本体を覆う金属ケースと、
該金属ケースとは別体で構成され該ピン固定部に固定される金属ピンと、を備え、
該金属ケースが該本体を覆っているときには、該金属ピンは該金属ケースと接触して該金属ケースと電気的に接続され、
該ピン固定部は、該側壁に対向配置され該側壁に対して移動不能な腕部を有する浮き上がり防止片からなり、
該金属ケースは、金属板が折り曲げられて組立てられ、該金属ピンに接触可能な平板部を有し、
該平板部と該金属ピンとは該側壁と該浮き上がり防止片の腕部とに挟まれることを特徴とするモジュラジャック。
【請求項４】
該浮き上がり防止片は該腕部と該側壁とを連結する基部を備え、該基部には該金属ピンを挿入可能なピン貫通孔が形成され、
該金属ピンは該ピン貫通孔に圧入されることにより該基部に固定されていることを特徴とする請求項３記載のモジュラジャック。
【請求項５】
該ピン貫通孔は複数形成されていることを特徴とする請求項４記載のモジュラジャック。
【請求項６】
該基部は該腕部の一端に接続され、
該腕部の他端部であって該側壁に対向する部分には、該側壁との距離が該腕部の一端に近づくにつれて短くなるような面取りが施されていることを特徴とする請求項４記載のモジュラジャック。
【請求項７】
該基部は該腕部の一端に接続され、
該金属ピンは、該ピン固定部に固定された基部側部と該基部側部に対する自由端側部とを有し、該自由端側部は該平板部に対向配置され、
該自由端側部には、該側壁との距離が該ピン貫通孔に近づくにつれて長くなるような面取りが施されていることを特徴とする請求項４記載のモジュラジャック。
【請求項８】
該金属ケースの材質と該金属ピンの材質とは異なることを特徴とする請求項１乃至請求項７のいずれか一記載のモジュラジャック。
【発明の詳細な説明】
【技術分野】
【０００１】
本発明はモジュラジャックに関し、特に実装基板に固定されるモジュラジャックに関する。
【背景技術】
【０００２】
テレビ等の電気機器には、データ通信を行うためにＬＡＮケーブル等のプラグが接続されるモジュラジャックが設けられている。モジュラジャックは、ＬＡＮケーブル等のコネクタが挿入されるモジュラジャック本体と、モジュラジャック本体を覆うようにしてモジュラジャック本体に装着された金属ケースとを有している。金属ケースの縁部には突起が設けられている。突起が実装基板に予め形成された孔に挿入されることにより、モジュラジャックを実装基板にしっかりと固定することができる。このようなモジュラジャックは、例えば、特開平１０−２７０１１２号公報（特許文献１）に記載されている。
【先行技術文献】
【特許文献】
【０００３】
【特許文献１】特開平１０−２７０１１２号公報
【発明の概要】
【発明が解決しようとする課題】
【０００４】
モジュラジャックが取り付けられる電気機器によっては、モジュラジャックには金属ケースが不要になる場合もある。このような場合であっても、モジュラジャックが実装基板にしっかりと固定されることが要求されることがある。このときにモジュラジャックを、金属ケースを有していないモジュラジャック本体のみの構成としてしまうと、実装基板にしっかりと固定することができなくなる。一方、実装基板にしっかりとモジュラジャックを固定するために、金属ケースが不要であってもモジュラジャック本体に金属ケースを装着した構成としてしまうと、モジュラジャックの価格が高くなる。
【０００５】
そこで本発明は、実装基板にしっかりと固定することができ、且つ価格低減が図られたモジュラジャックを提供することを目的とする。
【課題を解決するための手段】
【０００６】
上記目的を達成するために、本発明は、プラグ挿入穴が形成され側壁を有する本体と、該側壁に設けられたピン固定部とを備える本体部と、該本体を覆う金属ケースと、該金属ケースとは別体で構成され該ピン固定部に固定される金属ピンと、を備え、該金属ケースが該本体を覆っているときには、該金属ピンは該金属ケースと接触して該金属ケースと電気的に接続され、該金属ピンは該金属ケースと該側壁とに挟まれるように配置され、該金属ケースの一部には該金属ピンの方向へ突出する突出部が設けられているモジュラジャックを提供している。
【０００７】
金属ケースと金属ピンとを有しており、金属ケースと金属ピンとは別体で構成され、金属ピンはピン固定部に固定されているため、金属ケースが不要である場合には、モジュラジャックを、金属ケースを有しておらず本体部と金属ピンとを有する構成とすることができる。このため、金属ピンを実装基板に形成された孔に挿入してモジュラジャックを実装基板にしっかりと固定することができる。
【０００８】
またモジュラジャックを、本体部と金属ケースと金属ピンとを有する構成とした場合には、金属ケースと金属ピンとは電気的に接続されているため、金属ピンをアース端子とする磁気シールドとして金属ケースを機能させることができる。
【０００９】
金属ピンは金属ケースと側壁とに挟まれるように配置されているため、金属ピンと金属ケースとを確実に接触させ確実に電気的に接続させることができる。また、金属ピンをがたつきなくピン固定部に固定することができる。
【００１０】
金属ケースの一部には金属ピンの方向へ突出する突出部が設けられているため、突出部が金属ピンを押圧することで、金属ピンと金属ケースとをより確実に接触させて確実に電気的に接続させることができる。また、金属ピンをがたつきなくピン固定部に固定することができる。
【００１１】
また、該突出部は、該金属ケースの一部が抜き起こしされて構成されていることが好ましい。突出部は、金属ケースの一部が抜き起こしされて構成されているため、金属ケースの一部であって突出部の周囲に位置している部分に突出部が接触することを防止できる。このため、突出部にバネ性を持たせることができ、金属ピンに金属ケースをより確実に接触させ突出部で金属ピンを押圧して、金属ピンと金属ケースとを確実に電気的に接続させることができる。また、金属ピンをがたつきなくピン固定部に固定することができる。
【００１２】
本発明は、プラグ挿入穴が形成され側壁を有する本体と、該側壁に設けられたピン固定部とを備える本体部と、該本体を覆う金属ケースと、該金属ケースとは別体で構成され該ピン固定部に固定される金属ピンと、を備え、該金属ケースが該本体を覆っているときには、該金属ピンは該金属ケースと接触して該金属ケースと電気的に接続され、該ピン固定部は、該側壁に対向配置され該側壁に対して移動不能な腕部を有する浮き上がり防止片からなり、該金属ケースは、金属板が折り曲げられて組立てられ、該金属ピンに接触可能な平板部を有し、該平板部と該金属ピンとは該側壁と該浮き上がり防止片の腕部とに挟まれるモジュラジャックを提供している。
【００１３】
平板部と金属ピンとは側壁と浮き上がり防止片の腕部とに挟まれるため、平板部が側壁から離間することを防止することができ、金属ピンと金属ケースとをより確実に接触させて確実に電気的に接続させることができる。また、金属ピンをがたつきなくピン固定部に固定することができる。
【００１４】
また、該浮き上がり防止片は該腕部と該側壁とを連結する基部を備え、該基部には該金属ピンを挿入可能なピン貫通孔が形成され、該金属ピンは該ピン貫通孔に圧入されることにより該基部に固定されていることが好ましい。
【００１５】
金属ピンはピン貫通孔に圧入されることにより基部に固定されているため、金属ピンをがたつきなくピン固定部に固定することができる。
【００１６】
また、該ピン貫通孔は複数形成されていることが好ましい。ピン貫通孔は複数形成されているため、実装基板に形成された貫通孔の位置に応じて適宜ピン貫通孔を選択することができる。このため、実装基板に形成された貫通孔の位置に対応した本体部を製造せずに済み、汎用化することができ、モジュラジャックの製造に係るコストの低減を図ることができる。
【００１７】
また、該基部は該腕部の一端に接続され、該腕部の他端部であって該側壁に対向する部分には、該側壁との距離が該腕部の一端に近づくにつれて短くなるような面取りが施されていることが好ましい。
【００１８】
腕部の他端部であって側壁に対向する部分には、側壁との距離が腕部の一端に近づくにつれて短くなるような面取りが施されているため、腕部と金属ピンとの間に平板部を挿入する際に、腕部の他端に平板部が衝突することを防止することができ、スムーズに平板部を挿入することができる。
【００１９】
また、該基部は該腕部の一端に接続され、該金属ピンは、該ピン固定部に固定された基部側部と該基部側部に対する自由端側部とを有し、該自由端側部は該平板部に対向配置され、該自由端側部には、該側壁との距離が該ピン貫通孔に近づくにつれて長くなるような面取りが施されていることが好ましい。
【００２０】
自由端側部には、側壁との距離がピン貫通孔に近づくにつれて長くなるような面取りが施されているため、腕部と金属ピンとの間に平板部を挿入する際に、金属ピンの端縁に平板部が衝突することを防止することができ、スムーズに平板部を挿入することができる。
【００２１】
また、該金属ケースの材質と該金属ピンの材質とは異なることが好ましい。金属ケースの材質と金属ピンの材質とは異なるため、金属ケースをシールド性の高い材質としたり、安価な材質としたりすることができ、これに対して金属ピンをはんだの濡れ性の高い材質としたり、はんだの濡れ性が高くなるように、金属ピンにめっきを施したりすることができる。
【発明の効果】
【００２２】
以上により本発明は、実装基板にしっかりと固定することができ、且つ価格低減が図られたモジュラジャックを提供することができる。
【図面の簡単な説明】
【００２３】
【図１】本発明の実施の形態によるモジュラジャックを示す斜視図。
【図２】本発明の実施の形態によるモジュラジャックを示す分解斜視図。
【図３】本発明の実施の形態によるモジュラジャックを示す底面図。
【図４】本発明の実施の形態によるモジュラジャックから金属ピンと金属ケースとを取り除いた状態を示す正面図。
【図５】本発明の実施の形態によるモジュラジャックの浮き上がり防止片を示す要部断面図。
【図６】本発明の実施の形態によるモジュラジャックから金属ケースを取り外した状態を示す斜視図。
【図７】本発明の実施の形態によるモジュラジャックの変形例を示す斜視図。
【発明を実施するための形態】
【００２４】
本発明の実施の形態によるモジュラジャックについて図１乃至図６に基づき説明する。モジュラジャック１は、ＬＡＮケーブルが接続されるジャックであり、樹脂製のコネクタ挿入部３と樹脂製の端子保持部４と樹脂製のカバー５とから構成される本体を有する本体部２と、金属ケース６と、金属ピン７とを有している。なお、本体とは後述の浮き上がり防止片３５を含まない概念である。
【００２５】
以下の説明において、端子保持部４からからコネクタ挿入部３に向かう方向を前方向とし、その逆方向を後方向として前後方向を定義する。また前後方向と直交する方向であって、コネクタ挿入部３から金属ケース６の後述の上板６３に向かう方向を上方向とし、その逆方向を下方向として上下方向を定義する。また、図３における右方向を右方向し、左方向を左方向として左右方向を定義する。モジュラジャック１は、左右対称に構成されている。よって左右方向の後述する外側面３２Ａの説明については、一の外側面３２Ａ側のみについて説明する。
【００２６】
図２に示すように、コネクタ挿入部３は、下壁３１と一対の側壁３２、３２と、背壁３３と、前壁３４とを有しており、これらの壁によって内部にプラグ挿入穴３ａが画成された略直方体の枠体が構成されている。一対の側壁３２、３２の一端、背壁３３の一端、前壁３４の一端は下壁３１に接続されており、一対の側壁３２、３２の他端、背壁３３の他端、前壁３４の他端は上端面３Ａを構成する。プラグ挿入穴３ａは上端面３Ａにおいて開口３ｂを有しており、開口３ｂからプラグ挿入穴３ａ内に図示せぬモジュラプラグを挿入可能である。プラグ挿入穴３ａ内において背壁３３には図示せぬモジュラプラグの端子と接触する複数の端子である端子群３Ｂが設けられている。また、下壁３１の下面には、下方へ突出する脚部３６が一対設けられており、図示せぬ実装基板に形成された穴に脚部３６が挿入されることにより、モジュラジャック１が図示せぬ実装基板に固定されるように構成されている。
【００２７】
側壁３２の外面は外側面３２Ａを構成している。外側面３２Ａには、それぞれ第一係合突起３２Ｂが設けられている。第一係合突起３２Ｂは、外側面３２Ａの前部であって上下方向における略中央部に配置されている。第一係合突起３２Ｂは上側から下側に向かうにつれて外側面３２Ａからの突出量が増えるクサビ形状をなしている。
【００２８】
前壁３４には、コネクタ挿入部３の上端面３Ａに開口し、上端面３Ａから下方に向かって下壁３１に至るまで延び、プラグ挿入穴３ａ内外を連通させる溝３４ａが形成されている。また側壁３２の外側面３２Ａの一部であって下壁３１に接続されている部分には、浮き上がり防止片３５が設けられている。浮き上がり防止片３５はピン固定部に相当する。
【００２９】
浮き上がり防止片３５は、図４に示すように、外側面３２Ａの最下端から延出している基部３５Ａと、基部３５Ａの延出端から上方向に延出している腕部３５Ｂとにより略Ｌ字状に構成されている。腕部３５Ｂは、外側面３２Ａと対向する位置に対向面３５Ｃを有しており、腕部３５Ｂと外側面３２Ａとの間の空間は、隙間である溝部３５ａをなす。腕部３５Ｂの上端には、上側にゆくほど外側面３２Ａから離間する斜面３５Ｄが設けられている。この斜面３５Ｄに沿って金属ケース６の縁部６２Ｃを溝部３５ａ内にスムーズに導くことができ、縁部６２Ｃが腕部３５Ｂの上端に衝突することを防止することができるように構成されている。浮き上がり防止片３５は、この溝部３５ａの開口部分が、第一係合突起３２Ｂ、後述の第二係合突起４１Ｃよりも下側に位置するように配置されている。また浮き上がり防止片３５は、左右方向における溝部３５ａの幅である外側面３２Ａから腕部３５Ｂまでの距離が、０．５ｍｍ程度で構成されている。
【００３０】
図３に示すように基部３５Ａには、上下方向に貫通方向が指向するピン貫通孔３５ｂが形成されている。ピン貫通孔３５ｂは、前後方向において所定の間隔を隔てて配置されており、貫通方向に直交する面で切った断面は、それぞれ本体部２の外方へ凸をなす凸形状をしている。「凸」形状の底辺は外側面３２Ａと面一である。
【００３１】
金属ピン７は、２つのピン貫通孔３５ｂの内の後側のピン貫通孔３５ｂに貫通している。金属ピン７は、真鍮（銅と亜鉛とすずの合金）の表面にすずめっきが施された板状の金属片により構成されており、図２に示すように長方形状をなす頭部７１と、頭部７１に一体接続され先端部分が先細り形状をなすピン部７２とを有している。頭部７１は、厚さが０．２５ｍｍ程度であり、溝部３５ａ内に配置される。
【００３２】
図５に示すように頭部７１の上端部であって後述する金属ケース６の外方突出部６５に対向する部分には、下側にゆくほど側壁３２との距離が大きくなる頭部斜面７１Ａが設けられている。この頭部斜面７１Ａに沿って金属ケース６の縁部６２Ｃを溝部３５ａ内にスムーズに導くことができ、縁部６２Ｃが頭部７１の上端に衝突することを防止することができるように構成されている。頭部７１の上端部は自由端側部に相当する。
【００３３】
ピン部７２は、その表面から突出する長円形凸部７２Ａと、長方形の頭部７１に平行に且つ頭部７１からピン部７２が延出する方向に交差する方向へ突出する三角形状の一対の係合凸部７２Ｂとを有している。長円形凸部７２Ａは、ピン部７２の軸心位置においてピン７２の軸方向へ延出しおり、図３に示すようにピン貫通孔３５ｂの「凸」の上の部分に相当する空間に係合している。図２に示すように係合凸部７２Ｂは、上側にゆくにつれてピン部７２の軸心からの距離が大きくなる三角形状をなしており、基部３５Ａのピン貫通孔３５ｂ内に圧入されることにより基部３５Ａ内部において基部３５Ａに食い込んで固定されている。ピン部７２の先端部は、図示せぬ実装基板に形成された穴に挿入され接地される。ピン部７２は長円形凸部７２Ａを有しているため、ピン部７２全体としての厚みをより大きくすることができ、図示せぬ実装基板の穴に挿入され接地のためのはんだ付けが行われる際に、はんだ付けを確実にすることができる。
【００３４】
端子保持部４は、コネクタ挿入部３の後側に接続され、上部及び後部が開口して内部が中空状をなしている。中空状の内部には端子群３Ｂと電気的に接続された図示せぬ回路基板が配置されている。端子保持部４の下方には、図示せぬ回路基板に接続されると共に実装基板に接続される複数の実装端子である実装端子群４Ａが略垂下されて設けられている。
【００３５】
端子保持部４において左右方向の両面にはそれぞれ側面４１が規定され、側面４１は、一対の側壁３２、３２の側面３２Ａと面一になるように構成されている。側面４１には、それぞれ第二係合突起４１Ｃが設けられている。第二係合突起４１Ｃは、側面４１において上下方向における略中央位置に配置されている。第二係合突起４１Ｃは第一係合突起３２Ｂと同形状を成しており、上側から下側に向かうに連れて外側面３２Ａからの突出量が増えるクサビ形状をなしている。
【００３６】
図２に示すようにカバー５は、端子保持部４の上部開口及び後部開口を覆うように配置されており、端子保持部４に装着されている。カバー５は、上端面３Ａと面一となる上面を有しており、また、一対の側壁３２、３２の外側面３２Ａと面一となる側面を有している。
【００３７】
金属ケース６は、真鍮（銅と亜鉛とすずの合金）の表面にニッケルめっきが施された厚さが０．２ｍｍ程度の薄板の金属板が折り曲げられて組立てられており、シールドケースとして機能する。金属ケース６は、前板６１と、一対の側板６２と、上板６３と、後板６４とを有しており、コネクタ挿入部３、端子保持部４、及びカバー５の上面全体、側面全体、コネクタ挿入部３の前面の上部、及びカバー５の後面の上部を覆っている。上板６３には、プラグ挿入孔３ｂと連通する挿入孔６１ａが形成されている。また上板６３において挿入孔６１ａの輪郭を構成する左右方向両側縁には、プラグ挿入穴３ａ内に挿入されてプラグをプラグ挿入穴３ａ内に導く導入板６１Ａ、６１Ａが設けられている。
【００３８】
側板６２には、第一係合孔６２ａと第二係合孔６２ｂとが形成されると共に、外方突出部６５が設けられている。外方突出部６５は、側板６２の下部に設けられており、略長方形状の領域全体が僅かに金属ケース６の外方へ突出して構成されている。外方突出部６５は、金属ケース６の一部であって腕部３５Ｂに対向する部分に設けられており、図１に示すように溝部３５ａ内に配置される。外方突出部６５と外側面３２Ａとにより金属ピン７の頭部７１を挟むように配置される。外方突出部６５は平板部に相当する。
【００３９】
外方突出部６５には頭部押圧部６６が設けられている。頭部押圧部６６は、前後方向において所定の間隔を隔てて２つ設けられている。頭部押圧部６６は、外方突出部６５の一部がいわゆる抜き起こしされ、周囲がコの字状に切り抜かれて形成された略長方形状をなしており、頭部押圧部６６が設けられている外方突出部６５の部分の厚みが増すように当該長方形状の下辺を中心として金属ケース６の内方へ折り曲げられている。当該長方形状の上辺は自由端になっており、図１に示すように金属ケース６と外側面３２Ａとで金属ピン７の頭部７１を挟む位置関係になっているときに、当該上辺及びその近傍部分が頭部７１に当接して頭部７１をコネクタ挿入部３の外側面３２Ａの方向へ押圧する。このことにより金属ケース６と金属ピン７とが電気的に接続された状態となっている。頭部押圧部６６は突出部に相当する。
【００４０】
金属ケース６と金属ピン７とを有しており、金属ケース６と金属ピン７とは別体で構成され、基部３５Ａに金属ピン７が固定されているため、金属ケース６が不要の場合には、図６に示すように、金属ケース６を取り外した状態として金属ピン７を基部３５Ａに圧入して固定して用いてもよい。このようにすることで、金属ピン７を用いてモジュラジャック１を実装基板にしっかりと固定することができる。
【００４１】
またモジュラジャック１を、本体部２と金属ケース６と金属ピン７とを有する構成とした場合には、金属ケース６と金属ピン７とは電気的に接続されているため、金属ピン７をアース端子とする磁気シールドとして金属ケース６を機能させることができる。
【００４２】
金属ピン７は金属ケース６と側壁３２とに挟まれるように配置されているため、金属ピン７と金属ケース６とを確実に接触させ確実に電気的に接続させることができる。また、金属ピン７をがたつきなく基部３５Ａに固定することができる。
【００４３】
また、外方突出部６５には、外方突出部６５の厚さを増すように金属ピン７の方向へ突出する頭部押圧部６６が設けられているため、頭部押圧部６６が金属ピン７を押圧することで、金属ピン７と金属ケース６とをより確実に接触させて確実に電気的に接続させることができる。また、金属ピン７をがたつきなく基部３５Ａに固定することができる。
【００４４】
また、頭部押圧部６６は、金属ケース６の一部が抜き起こしされて構成されているため、金属ケース６の一部であって頭部押圧部６６の周囲の部分に頭部押圧部６６が接触することを防止できる。このため、頭部押圧部６６にバネ性を持たせることができ、金属ピン７に金属ケース６をより確実に接触させ頭部押圧部６６で金属ピン７を押圧して、金属ピン７と金属ケース６とを確実に電気的に接続させることができる。また、金属ピン７をがたつきなく基部３５Ａに固定することができる。
【００４５】
また、外方突出部６５と金属ピン７とは側壁３２と浮き上がり防止片３５の腕部３５Ｂとに挟まれるため、外方突出部６５が側壁３２から離間することを防止することができ、金属ピン７と金属ケース６とをより確実に接触させて確実に電気的に接続させることができる。また、金属ピン７をがたつきなくき部に固定することができる。
【００４６】
また、金属ピン７はピン貫通孔３５ｂに圧入されることにより基部３５Ａに固定されているため、金属ピン７をがたつきなく基部３５Ａに固定することができる。
【００４７】
また、ピン貫通孔３５ｂは複数形成されているため、実装基板に形成された貫通孔の位置に応じて適宜ピン貫通孔３５ｂを選択することができる。このため、図示せぬ実装基板に形成された貫通孔の位置に対応した本体部を製造せずに済み、汎用化することができ、モジュラジャック１の製造に係るコストの低減を図ることができる。
【００４８】
金属ケース６の材質と金属ピン７の材質とは異なるため、金属ケース６をシールド性の高い材質としたり、安価な材質としたりすることができ、これに対して金属ピン７をはんだの濡れ性の高い材質としたり、金属ピン７がはんだの濡れ性が高くなるように、めっきを施したりすることができる。
【００４９】
本発明のモジュラジャックは、上述した実施の形態に限定されず、特許請求の範囲に記載した範囲で種々の変形や改良が可能である。例えば、本実施の形態では、プラグ挿入穴３ａが上方へ向けて開口し、ピン貫通孔３５ｂは１つの浮き上がり防止片３５の基部３５Ａに２つ形成されていたが、この形状、構成に限定されない。例えば、図７示すように、モジュラジャック１０１のプラグ挿入穴１０３ａが前方へ向けて開口し、ピン貫通孔が１つの浮き上がり防止片１３５の基部１３５Ａについて１つのみ形成されていてもよい。
【００５０】
また、金属ピン７は、２つのピン貫通孔３５ｂの内の後側のピン貫通孔３５ｂに貫通していたが、後ろ側のピン貫通孔３５ｂに限定されない。実装基板によっては前側のピン貫通孔３５ｂに貫通していてもよい。
【００５１】
また、金属ケース６と金属ピン７とは、異なる材質の金属により構成されていてもよい。例えば、金属ケースは、真鍮に代えてＳＵＳ材、アルミ合金、ステンレス合金等により構成されていてもよい。また、金属ピン７にはすずめっきが施されていたが、これに限定されず、例えば、すずめっきに代えて、はんだ槽に金属ピンが浸漬されて金属ピンの表面にはんだが付着しているはんだディップでもよい。
【００５２】
また、金属ピン７の頭部７１の上端部であって後述する金属ケース６の外方突出部６５に対向する部分には、下側にゆくほど側壁３２から離間する頭部斜面７１Ａが設けられており、また、腕部３５Ｂの上端には、上側にゆくほど外側面３２Ａから離間する斜面３５Ｄが設けられていたが、斜面に限定されず、例えば斜面に代えて、所定の半径を有する円弧状の面とり等の他の種類の面取りが設けられていてもよい。
【００５３】
また、浮き上がり防止片３５の基部３５Ａはピン貫通孔３５ｂにより構成されていたが、ピン貫通孔に限定されない。例えば、溝により構成され溝内に金属ピン７のピン部７２が挿入可能であればよい。
【００５４】
また、頭部押圧部６６は、外方突出部６５の一部がいわゆる抜き起こしされ、周囲がコの字状に切り抜かれて形成された略長方形状をなし、頭部押圧部６６が設けられている外方突出部６５の部分の厚みが増すように当該長方形状の下辺を中心として金属ケース６の内方へ折り曲げられて構成されていたが、この構成に限定されない。金属ケースの一部に金属ピンの方向へ突出する突出部が設けられていればよい。
【産業上の利用可能性】
【００５５】
本発明のモジュラジャックは、特にＬＡＮケーブルが接続されるモジュラジャックの分野において特に有用である。
【符号の説明】
【００５６】
１          モジュラジャック
２          本体部
３ａ        プラグ挿入穴
６          金属ケース
７          金属ピン
３５        浮き上がり防止片
３５Ｄ      斜面
３５ｂ      ピン貫通孔
６５        外方突出部
６６        頭部押圧部
７１Ａ      頭部斜面
【図１】
0005240528.tif 000002
【図２】
0005240528.tif 000003
【図３】
0005240528.tif 000004
【図４】
0005240528.tif 000005
【図５】
0005240528.tif 000006
【図６】
0005240528.tif 000007
【図７】
0005240528.tif 000008